(57)【要約】【課題】本発明は、衣類処理のために備えられる装置に着脱可能に設けられ、衣類の洗濯や乾燥を行うことができる別途の衣類処理装置を提供することを目的とする。【解決手段】本発明は、キャビネットと、投入口が設けられ、前記キャビネットから引き出し可能なドロワーと、前記ドロワーの内部に設けられて洗濯水が貯蔵される空間を提供し、上部面が開放されたタブボディーと、前記タブボディーの内部に回転可能に設けられて洗濯物が貯蔵される空間を提供し、上部面が開放された形状のドラムと、前記投入口と前記ドラムとを連通させるタブ投入口が設けられ、前記タブボディーの上部面に固定されるタブカバーと、前記タブカバーに回転可能に設けられ、前記タブ投入口を開閉するドアと、前記ドアに設けられ、前記タブ投入口をシーリングするシーリング部とを含む衣類処理装置に関する。【選択図】図１
2015226770.tif 000002
【特許請求の範囲】
【請求項１】
キャビネットと、
投入口が設けられ、前記キャビネットから引き出し可能なドロワーと、
前記ドロワーの内部に設けられて洗濯水が貯蔵される空間を提供し、上部面が開放されたタブボディーと、
前記タブボディーの内部に回転可能に設けられて洗濯物が貯蔵される空間を提供し、上部面が開放された形状のドラムと、
前記投入口と前記ドラムとを連通させるタブ投入口が設けられ、前記タブボディーの上部面に固定されるタブカバーと、
前記タブカバーに回転可能に設けられ、前記タブ投入口を開閉するドアと、
前記ドアに設けられ、前記タブ投入口をシーリングするシーリング部とを含む、衣類処理装置。
【請求項２】
前記シーリング部は、
前記ドアに設けられ、前記タブ投入口に挿入されるシーリングボディーと、
前記シーリングボディーから突出して前記タブ投入口の内周面に接触する第１突出部と、
前記タブ投入口の上部に位置し、前記タブカバーに接触するように前記シーリングボディーから突出して設けられる第２突出部とを含む、請求項１に記載の衣類処理装置。
【請求項３】
前記第１突出部は、少なくとも２つ以上設けられる、請求項２に記載の衣類処理装置。
【請求項４】
前記ドアの外周面は、前記投入口の外周面と所定距離離隔して設けられる、請求項１に記載の衣類処理装置。
【請求項５】
前記タブに設けられ、洗濯水を前記ドラムの開放された上部面に案内する傾斜部を含む、請求項１に記載の衣類処理装置。
【請求項６】
前記タブカバーは、
前記タブボディーの上部面に位置するカバーボディーと、
前記カバーボディーから突出して設けられ、前記タブボディーの内周面に接触する挿入部と、
前記挿入部に設けられ、洗濯水を前記ドラムの開放された上部面に案内する傾斜部とを含む、請求項１に記載の衣類処理装置。
【請求項７】
前記タブボディーから前記タブカバーに向かって突出して設けられ、前記挿入部の直径よりも大きい直径を有する締結部と、
前記タブカバーに設けられ、前記締結部が収容される第１収容溝と、
前記第１収容溝と前記挿入部との間に位置するように前記タブカバーに設けられ、前記タブボディーの上端を収容する第２収容溝とをさらに含む、請求項６に記載の衣類処理装置。
【請求項８】
前記タブボディーから前記タブカバーに向かって突出して設けられ、前記タブボディーの上部面の直径よりも大きい直径を有するか、または前記タブボディーの上部面の直径よりも小さい直径を有するように設けられる締結部と、
前記タブカバーに設けられ、前記締結部が収容される第１収容溝と、
前記タブカバーに設けられ、前記タブボディーの上部面が収容される第２収容溝とをさらに含む、請求項１に記載の衣類処理装置。
【請求項９】
前記締結部は、前記タブボディーの円周面から突出して設けられる締結部第１ボディーと、前記締結部第１ボディーから前記タブカバーに向かって延びて前記第１収容溝に挿入される締結部第２ボディーとを含み、
前記タブカバーは、前記第１収容溝と前記第２収容溝を区分し、前記締結部第２ボディーと前記タブボディーの外周面との間に形成された空間に挿入される収容溝隔壁をさらに含む、請求項８に記載の衣類処理装置。
【請求項１０】
前記タブカバーを貫通するように設けられ、前記ドラムに連通する貫通孔と、
前記ドロワーに設けられ、前記貫通孔に洗濯水を供給する給水口と、
前記キャビネットに回転可能に結合された第１ボディーと、前記第１ボディー及び前記ドロワーのそれぞれに回転可能に結合され、前記第１ボディーと前記ドロワーとを連結する第２ボディーとを含むガイダーと、
給水源に連結された供給部と、
前記供給部と前記給水口を連結し、前記ガイダーに設けられる給水流路とを含む、請求項１に記載の衣類処理装置。
【請求項１１】
前記給水流路は、
前記第１ボディーに設けられる第１流路と、
前記第１流路と前記供給部とを連結する連結管と、
前記第２ボディーによって支持され、前記第１流路の内部の洗濯水を前記給水口に供給する給水管とを含む、請求項１０に記載の衣類処理装置。
【請求項１２】
前記タブボディーの内部の洗濯水を前記タブボディーの外部に排出させる排出部と、
前記第１ボディーに設けられる第２流路と、
前記第２流路と前記排出部とを連結する第１排水管と、
前記第２流路の内部の洗濯水を前記キャビネットの外部に案内する第２排水管とを含む、請求項１１に記載の衣類処理装置。
【請求項１３】
前記給水管を前記第１排水管、前記第２流路及び前記第２排水管のうちの少なくともいずれか１つに連通させる連通管をさらに含む、請求項１２に記載の衣類処理装置。
【発明の詳細な説明】
【技術分野】
【０００１】
本発明は、衣類処理装置に関する。
【背景技術】
【０００２】
一般に、衣類処理装置は、洗濯物を洗濯する装置、洗濯物を乾燥する装置、洗濯物の洗濯及び乾燥の両方を行うことができる装置を含む概念である。
【０００３】
洗濯物を衣類処理装置の前方から投入するフロントローディング方式（所謂「ドラム洗濯機」）の衣類処理装置は、洗濯物を投入するために設けられた投入口が使用者の腰よりも低い位置に形成されているため、使用者が洗濯物を衣類処理装置に投入したり、または衣類処理装置から洗濯物を取り出すときに、腰を曲げなければならない不便さがあった。
【０００４】
このような不便さを除去するために、従来の衣類処理装置の中には、フロントローディング方式の衣類処理装置の下部に受け台を追加して投入口の高さを高めたものがあった。
【０００５】
しかし、従来の衣類処理装置に備えられた受け台は、衣類処理装置の投入口を高めるための手段に過ぎず、洗濯物の洗濯や乾燥のような衣類処理の機能を具現できないという欠点があった。
【発明の概要】
【発明が解決しようとする課題】
【０００６】
本発明は、衣類処理のために備えられる装置に着脱可能に設けられ、衣類の洗濯や乾燥を行うことができる別途の衣類処理装置を提供することを解決しようとする課題とする。
【０００７】
また、本発明は、キャビネットから引き出し可能に設けられ、洗濯物を収容する収容部に、洗濯水を給水または排水することが容易な衣類処理装置を提供することを解決しようとする課題とする。
【０００８】
また、本発明は、収容部から排出される水分を凝縮させて収容部に回収可能な衣類処理装置を提供することを解決しようとする課題とする。
【０００９】
また、本発明は、収容部に貯蔵された洗濯水を排出させる排出部に洗濯水が残留することを防止することができる衣類処理装置を提供することを解決しようとする課題とする。
【００１０】
また、本発明は、洗濯水が収容部の内部で循環するようにする手段を有する衣類処理装置を提供することを解決しようとする課題とする。
【課題を解決するための手段】
【００１１】
本発明は、上述した課題を解決するために、キャビネットと、投入口が設けられ、前記キャビネットから引き出し可能なドロワーと、前記ドロワーの内部に設けられて洗濯水が貯蔵される空間を提供し、上部面が開放されたタブボディーと、前記タブボディーの内部に回転可能に設けられて洗濯物が貯蔵される空間を提供し、上部面が開放された形状のドラムと、前記投入口と前記ドラムとを連通させるタブ投入口が設けられ、前記タブボディーの上部面に固定されるタブカバーと、前記タブカバーに回転可能に設けられ、前記タブ投入口を開閉するドアと、前記ドアに設けられ、前記タブ投入口をシーリングするシーリング部とを含む衣類処理装置を提供する。
【００１２】
前記シーリング部は、前記ドアに設けられ、前記タブ投入口に挿入されるシーリングボディーと、前記シーリングボディーから突出して前記タブ投入口の内周面に接触する第１突出部と、前記タブ投入口の上部に位置し、前記タブカバーに接触するように前記シーリングボディーから突出して設けられる第２突出部とを含むことができる。
【００１３】
前記第１突出部は、少なくとも２つ以上設けられてもよい。
【００１４】
前記ドアの外周面は、前記投入口の外周面と所定距離離隔して設けられてもよい。
【００１５】
本発明は、前記タブに設けられ、洗濯水を前記ドラムの開放された上部面に案内する傾斜部を含むことができる。
【００１６】
前記タブカバーは、前記タブボディーの上部面に位置するカバーボディーと、前記カバーボディーから突出して設けられ、前記タブボディーの内周面に接触する挿入部と、前記挿入部に設けられ、洗濯水を前記ドラムの開放された上部面に案内する傾斜部とを含むことができる。
【００１７】
本発明は、前記タブボディーから前記タブカバーに向かって突出して設けられ、前記挿入部の直径よりも大きい直径を有する締結部と、前記タブカバーに設けられ、前記締結部が収容される第１収容溝と、前記第１収容溝と前記挿入部との間に位置するように前記タブカバーに設けられ、前記タブボディーの上端を収容する第２収容溝とをさらに含むことができる。
【００１８】
本発明は、前記タブボディーから前記タブカバーに向かって突出して設けられ、前記タブボディーの上部面の直径よりも大きい直径を有するか、または前記タブボディーの上部面の直径よりも小さい直径を有するように設けられる締結部と、前記タブカバーに設けられ、前記締結部が収容される第１収容溝と、前記タブカバーに設けられ、前記タブボディーの上部面が収容される第２収容溝とをさらに含むことができる。
【００１９】
前記締結部は、前記タブボディーの円周面から突出して設けられる締結部第１ボディーと、前記締結部第１ボディーから前記タブカバーに向かって延びて前記第１収容溝に挿入される締結部第２ボディーとを含み、前記タブカバーは、前記第１収容溝と前記第２収容溝を区分し、締結部第２ボディーと前記タブボディーの外周面との間に形成された空間に挿入される収容溝隔壁をさらに含むことができる。
【００２０】
本発明は、前記タブカバーを貫通するように設けられ、前記ドラムに連通する貫通孔と、前記ドロワーに設けられ、前記貫通孔に洗濯水を供給する給水口と、前記キャビネットに回転可能に結合された第１ボディーと、前記第１ボディー及び前記ドロワーのそれぞれに回転可能に結合され、前記第１ボディーと前記ドロワーとを連結する第２ボディーとを含むガイダーと、給水源に連結された供給部と、前記供給部と前記給水口を連結し、前記ガイダーに設けられる給水流路とを含むことができる。
【００２１】
前記給水流路は、前記第１ボディーに設けられる第１流路と、前記第１流路と前記供給部とを連結する連結管と、前記第２ボディーによって支持され、前記第１流路の内部の洗濯水を前記給水口に供給する給水管とを含むことができる。
【００２２】
本発明は、前記タブボディーの内部の洗濯水を前記タブボディーの外部に排出させる排出部と、前記第１ボディーに設けられる第２流路と、前記第２流路と前記排出部とを連結する第１排水管と、前記第２流路の内部の洗濯水を前記キャビネットの外部に案内する第２排水管とを含むことができる。
【００２３】
本発明は、前記給水管を前記第１排水管、第２流路及び第２排水管のうちの少なくともいずれか１つに連通させる連通管をさらに含むことができる。
【発明の効果】
【００２４】
本発明は、衣類処理のために備えられる装置に着脱可能に設けられ、衣類の洗濯や乾燥を行うことができる別途の衣類処理装置を提供する効果を図ることができる。
【００２５】
また、本発明は、キャビネットから引き出し可能に設けられ、洗濯物を収容する収容部に、洗濯水を給水または排水することが容易な衣類処理装置を提供する効果を図ることができる。
【００２６】
また、本発明は、収容部から排出される水分を凝縮させて収容部に回収可能な衣類処理装置を提供する効果を図ることができる。
【００２７】
また、本発明は、収容部に貯蔵された洗濯水を排出させる排出部に洗濯水が残留することを防止できる衣類処理装置を提供する効果を図ることができる。
【００２８】
また、本発明は、洗濯水が収容部の内部で循環するようにする手段を有する衣類処理装置を提供する効果を図ることができる。
【図面の簡単な説明】
【００２９】
【図１】本発明の衣類処理装置の斜視図である。
【図２】衣類処理装置の分解図である。
【図３】本発明に備えられたドロワー、タブ及びドアを示す図である。
【図４】本発明に備えられたタブカバーを示す図である。
【図５】本発明に備えられた凝縮水回収部を示す図である。
【図６】本発明に備えられたガイダーを示す図である。
【図７】本発明に備えられたガイダーを示す図である。
【図８】本発明に備えられたガイダーを示す図である。
【図９】ガイダーの運動を示す図である。
【図１０】ガイダーの運動を示す図である。
【発明を実施するための形態】
【００３０】
以下では、添付の図面を参照して、本発明の好ましい実施例を詳細に説明する。一方、以下で記述する装置の構成や制御方法は、本発明の実施例を説明するためのものに過ぎず、本発明の権利範囲を限定するためのものではなく、明細書全般にわたって同一に使用された参照番号は同一の構成要素を示す。
【００３１】
図１に示すように、本発明の衣類処理装置１００は、洗濯物の洗濯や乾燥のような衣類処理機能を具現する第１処理装置Ｔと、前記第１処理装置Ｔに着脱可能に設けられ、洗濯物の洗濯や乾燥のような衣類処理機能を具現する第２処理装置Ｌとを含んで備えられることが好ましい。しかし、本発明の衣類処理装置１００は、前記第２処理装置Ｌのみを備えてもよい。
【００３２】
以下では、第１処理装置Ｔ及び第２処理装置Ｌの両方を備えた衣類処理装置を基準として説明する。
【００３３】
本発明に備えられた第１処理装置Ｔは、外観を形成する第１処理装置キャビネット１と、前記第１処理装置キャビネット１の内部に設けられ、洗濯水が貯蔵される第１処理装置タブ（図示せず）と、前記第１処理装置タブの内部に回転可能に設けられ、洗濯物が貯蔵される第１処理装置ドラム（図示せず）と、前記第１処理装置タブに洗濯水を供給する第１処理装置給水部（図示せず）と、前記第１処理装置タブに貯蔵された洗濯水を第１処理装置キャビネット１の外部に排出させる第１処理装置排水部（図示せず）とを含むことができる。
【００３４】
前記第１処理装置キャビネット１には、洗濯物の出入りのための第１処理装置投入口（図示せず）が設けられ、前記第１処理装置投入口は、第１処理装置キャビネット１に回転可能に結合された第１処理装置ドア１１によって開閉される。
【００３５】
また、前記第１処理装置タブには、前記第１処理装置投入口に連通する第１処理装置タブ投入口が設けられるので、使用者は、前記第１処理装置ドア１１の開放時に洗濯物を第１処理装置ドラムに投入することができる。
【００３６】
一方、前記第１処理装置Ｔが洗濯物の乾燥機能も行うことができるように備えられる場合、前記第１処理装置キャビネット１の内部には、前記第１処理装置タブへ加熱された空気を供給する熱風供給装置（図示せず）がさらに備えられなければならない。
【００３７】
前記熱風供給装置（図示せず）は、第１処理装置タブの内部の空気を循環させるように設けられる循環ダクトと、前記循環ダクトの内部に設けられ、第１処理装置タブから排出された空気の除湿及び加熱のための熱交換部とを備えることができる。
【００３８】
しかし、前記熱風供給装置（図示せず）は、第１処理装置タブの内部の空気を第１処理装置キャビネット１の外部に排出させる排出ダクトと、第１処理装置キャビネット１の外部の空気を第１処理装置タブに供給する供給ダクトと、前記供給ダクトに設けられる熱交換部とを備えても構わない。
【００３９】
上述とは異なり、第１処理装置Ｔが洗濯物の乾燥のみを行うように備えられる場合、第１処理装置Ｔは、第１処理装置タブを必要としない代わりに、熱風供給装置は、第１処理装置キャビネットの内部に設けられた第１処理装置ドラムに熱風を供給するように備えられなければならない。
【００４０】
本発明に備えられる第２処理装置Ｌは、第１処理装置キャビネット１に着脱可能に設けられるキャビネット２と、前記キャビネット２から引き出し可能に設けられるドロワー３と、前記ドロワーの内部に設けられ、洗濯物の処理空間を提供する収容部４，５とを含む。
【００４１】
前記キャビネット２は、第２処理装置Ｌの外観を形成し、第１処理装置キャビネット１を支持するように設けられてもよい。図１に示したものとは異なり、第２処理装置に備えられたキャビネット２は、第１処理装置キャビネット１の上部面や側面に着脱可能に設けられても構わない。
【００４２】
しかし、第２処理装置Ｌが第１処理装置Ｔの下部に備えられる場合、第１処理装置ドア１１の高さが高くなるので、使用者が洗濯物を投入したり、取り出したりするときに便利さを提供するという効果がある。
【００４３】
前記キャビネット２には開放面２１が設けられ、前記ドロワー３は、開放面２１を介してキャビネット２から引き出されたり、またはキャビネット２の内部に挿入され得る。前記第２処理装置Ｌが第１処理装置Ｔの下部面に備えられる場合、前記開放面２１は、第１処理装置ドア１１が位置した方向（第１処理装置の前方面）に設けられることが好ましい。
【００４４】
図２に示すように、前記ドロワー３は、上部面が開放されたドロワーボディー３１と、前記ドロワーボディーの開放された上部面に設けられるドロワーカバー３５とを含む。
【００４５】
前記ドロワーボディー３１は、内部が空いている空間を形成する六面体形状に設けられてもよく、前記ドロワーカバー３５は、ドロワーボディー３１の上部面を形成するようにドロワーボディー３１に固定される。
【００４６】
前記ドロワーボディー３１の前方面にはドロワーパネル３３が設けられる。前記ドロワーパネル３３にはハンドル（図示せず）が設けられてもよい。この場合、使用者は、前記ハンドルを用いて、キャビネット２に挿入されたドロワーボディー３１をキャビネット２の外部に引き出すことができる。
【００４７】
前記ドロワーパネル３３には、第２処理装置Ｌの作動を制御するコントロールパネル３３１が設けられてもよい。コントロールパネル３３１は、前記収容部４，５に洗濯水を給／排水するための手段、衣類を回転させる手段、衣類にスチームや熱風を供給する手段などを制御するために、使用者が制御命令を入力するための手段である。
【００４８】
また、前記コントロールパネル３３１は、使用者によって入力された制御命令の確認、使用者が入力した制御命令の実行過程を使用者に通知するための手段であってもよい。
【００４９】
前記ドロワーカバー３５には、前記ドロワーカバー３５を貫通するように設けられ、ドロワーボディー３１の内部をドロワーボディー３１の外部と連通させる投入口３５３と、前記ドロワーカバー３５を貫通するように設けられ、収容空間４，５に洗濯水を案内する給水口３５５とが備えられてもよい。
【００５０】
前記ドロワー３の内部に設けられる収容部４，５は、前記ドロワーボディー３１の内部に設けられ、洗濯水が貯蔵される空間を提供するタブ４と、前記タブの内部に回転可能に設けられ、洗濯物が貯蔵されるドラム５とを備えてもよい。
【００５１】
前記タブ４は、洗濯水が貯蔵される空間を提供し、上部面が開放された形状のタブボディー４１と、前記タブボディー４１の上部面に固定されるタブカバー４３とを備えることができ、前記ドラム５は、上部面が開放された円筒形状に設けられてもよい。
【００５２】
図３に示すように、前記ドラム５は、前記タブボディー４１の外部に設けられた駆動部によってタブボディー４１の内部で回転可能であり、前記駆動部は、タブボディー４１に固定されて回転磁場を形成するステータＭ１と、回転磁場により回転するローターＭ２と、タブボディー４１を貫通するように設けられ、ドラム５とローターＭ２とを連結する駆動軸Ｍ３とを備えることができる。
【００５３】
前記ドラム５の外周面には、ドラム５の内部をタブボディー４１の内部と連通させるドラム貫通孔５１が設けられる。
【００５４】
一方、前記タブボディー４１は、タブ支持部Ｄを通じてドロワーボディー３１の内部に固定される。
【００５５】
タブ支持部Ｄは、ドロワー連結部Ｄ１、タブ連結部Ｄ３、及び各連結部Ｄ１，Ｄ３を連結するロードＤ５を備えることができる。
【００５６】
この場合、ドロワーボディー３１には、前記ドロワー連結部Ｄ１を支持するように設けられた第１ブラケット３１１が備えられ、前記タブボディー４１の外周面には、前記タブ連結部Ｄ３によって支持される第２ブラケット４１１が備えられなければならない。
【００５７】
前記第１ブラケット３１１はドロワーボディー３１に設けられてもよく、第２ブラケット４１１は、タブボディー４１の外周面からドロワーボディー３１の内周面に向かって突出して設けられてもよい。
【００５８】
前記タブカバー４３は、前記タブボディー４１の上部面を形成するカバーボディー４３１と、前記カバーボディー４３１を貫通するように設けられ、前記投入口３５３と前記ドラム５とを連通させるタブ投入口４３５とを含む。
【００５９】
前記タブ投入口４３５には、前記カバーボディー４３１に回転可能に設けられるドア４９が備えられる。
【００６０】
前記ドア４９はヒンジ（図示せず）を介して前記カバーボディー４３１に結合され、投入口３５３はタブ投入口４３５の上部に位置し、前記ドア４９及び前記タブ投入口４３５の大きさは、前記投入口３５３の大きさよりも小さく設けられる。したがって、本発明は、タブ投入口４３５がドロワーカバー３５の下部に位置しているにもかかわらず、ドア４９を通じてタブ投入口４３５を開閉することができる。
【００６１】
特に、前記ドア４９の外周面は、前記投入口３５３の内周面と所定距離Ｘ１，Ｘ２だけ離隔して設けられることが好ましい。これは、幾何公差（ｇｅｏｍｅｔｒｉｃ  ｔｏｌｅｒａｎｃｅ）や位置公差（ｐｏｓｉｔｉｏｎａｌ  ｔｏｌｅｒａｎｃｅ）によって前記ドア４９が投入口３５３に干渉してタブ投入口４３５を開放できないという問題を防止するためである。
【００６２】
また、ドア４９の外周面が投入口３５３の内周面と所定距離だけ離隔すれば、タブの振動時にドアが破損するという問題も防止することができる。
【００６３】
前記ドア４９には、前記ドア４９をドロワーカバー３５またはカバーボディー４３１に着脱可能に固定させるドアハンドル４９３が設けられてもよい。
【００６４】
一方、前記ドア４９には、前記タブ投入口４３５を通して洗濯水が漏出することを防止するためのシーリング部４９５が設けられてもよい。
【００６５】
前記シーリング部４９５は、前記ドア４９の下部面に固定され、前記ドア４９がタブ投入口４３５を閉鎖したときに前記タブ投入口４３５に挿入されるシーリングボディー４９６と、前記シーリングボディー４９６から突出して設けられる第１突出部４９７及び第２突出部４９８とを含むことができる。
【００６６】
前記第１突出部４９７は、前記シーリングボディー４９６の外周面から前記タブ投入口４３５の内周面に向かって突出して設けられ、前記第１突出部４９７は、前記ドア４９がタブ投入口４３５を閉鎖したときに前記タブ投入口４３５の内周面に接触可能な長さで設けられることが好ましい。
【００６７】
さらに、前記第１突出部４９７は、前記シーリングボディー４９６に少なくとも２つ以上設けられてもよく、各第１突出部４９７は互いに所定距離離隔するように設けられてもよい。
【００６８】
一方、前記第２突出部４９８は、前記ドア４９がタブ投入口４３５を閉鎖したときに前記タブ投入口４３５が閉鎖されるように、前記シーリングボディー４９６の外周面から突出して設けられてもよい。すなわち、前記第２突出部４９８は、前記ドア４９がタブ投入口４３５を閉鎖したときに前記カバーボディー４３１の上部面に接触可能な長さで設けられなければならない。
【００６９】
上述したシーリング部４９５は、ドア４９がタブ投入口４３５を閉鎖したときにタブ投入口４３５をシーリングすることができる限り、いかなる材質からなってもよいが、ゴムのような弾性体が一例となり得る。
【００７０】
図４に示すように、前記タブボディー４１の上部面を形成するカバーボディー４３１には、前記タブボディー４１の内周面に挿入される挿入部４３９が設けられ、前記挿入部４３９には、前記タブボディー３１の内部の洗浄水をドラム５に案内する傾斜部４３９１が設けられてもよい。
【００７１】
前記タブボディー４１の内部に設けられたドラム５は、上部面が開放された円筒形状に設けられ、ドラム５の外周面には、ドラム５の内部とタブボディー４１の内部とを連通させるドラム貫通孔５１が設けられる。
【００７２】
この場合、ドラム５が回転すると、前記タブボディー４１の内部に貯蔵された洗濯水は、前記タブボディー４１の内周面に沿って回転しながら、前記タブボディー４１の底面から前記タブカバー４３まで上昇することができる。したがって、前記傾斜部４３９１は、タブボディー４１の底面からタブカバー４３に向かって移動した洗濯水をドラム５の上部面に案内する手段である。
【００７３】
タブボディー４１の内部の洗濯水がドラム５の上部面を介してドラム５に再供給されると、洗濯水が、ドラム５に貯蔵された洗濯物を打撃できるので、本発明は、前記傾斜部４３９１を通じて洗濯力を高めることができる。
【００７４】
一方、前記カバーボディー４３１には、前記ドロワー３に設けられた給水口３５５の下部に位置し、前記給水口３５５に流入する洗濯水をドラム５に案内する貫通孔４３８が設けられる。
【００７５】
前記タブ４がドロワー３の内部に固定された状態であるので、理論的には、前記貫通孔４３８は、前記給水口３５５の下部に固定された状態と見ることができる（貫通孔と給水口との間の相対運動が発生しないものと見ることができる）。したがって、貫通孔４３８と給水口３５５とを連結するパイプを介して、給水口３５５に流入する洗濯水をタブ４に供給することも可能である。
【００７６】
しかし、ドラム５の回転時に発生した振動がタブボディー４１に伝達される場合、貫通孔４３８と給水口３５５とを連結するパイプが振動することがあり、この場合、前記パイプの耐久性が低下、または前記パイプの振動を低減させるための構造を考慮しなければならないという問題が発生することがある。したがって、前記パイプのように貫通孔４３８と給水口３５５とを連結する手段なしに、貫通孔４３８を給水口３５５の下部に位置させることによってタブ４に洗濯水を供給する方式がより好ましい。
【００７７】
一方、前記貫通孔４３８と前記給水口３５５との間にこれらを連結するパイプが設けられない場合、前記タブボディー４１に温水が供給されるか、またはタブボディー４1の外部に設けられたスチーム発生装置（図示せず）を介してタブボディー４１の内部にスチームが供給される場合、前記貫通孔４３８は、タブ内部４１の水分（水、スチーム、ミストなど）をキャビネット２の内部に排出させるという欠点がある。
【００７８】
すなわち、前記貫通孔４３８を通してタブ内部４１の水分がキャビネット２の内部に排出される場合、洗濯力が低下することもあり、キャビネット２の内部に設けられた装置（電子装置など）の故障や腐食を誘発するという問題が発生することもある。したがって、本発明は、貫通孔４３８を通してタブ内部４１の水分や熱がキャビネット２に排出されることを最小化するための回収部をさらに含むことができる。
【００７９】
図５に示すように、本発明に備えられる回収部４５は、ドロワーカバー３５に設けられ、前記貫通孔４３８から排出される水分が接触する第１回収部４５１と、前記第１回収部４５１から供給される水分を前記貫通孔４３８に案内する第２回収部４５３とを備えることができる。
【００８０】
前記第２回収部４５３は、前記タブカバー４３の上部面から前記第１回収部４５１に向かって突出して設けられる回収ボディー４５４と、前記回収ボディー４５４を貫通するように設けられて前記貫通孔４３８に連通するボディー貫通孔４５６とを備えることができる。
【００８１】
前記第１回収部４５１は、前記貫通孔４３８から排出される水分を前記第２回収部４５３に供給できる限り、いかなる構造で設けられてもよい。
【００８２】
すなわち、本発明に備えられる第１回収部４５１は、ドロワーカバー３５から第２回収部４５３に向かって突出して設けられる平面や曲面形状の板（ｂｏａｒｄ）として備えられてもよく、前記第２回収部４５３に向かう面が開放された中空バー（ｈｏｌｌｏｗ  ｂａｒ）の形状に設けられてもよい。
【００８３】
第１回収部４５１が中空バーとして備えられる場合、中空バーは様々な形状を有することができ、図５は、中空バーが円筒形状に設けられる場合を一例として示したものである。
【００８４】
第１回収部４５１が平面形状の板として備えられる場合、前記第１回収部４５１は、前記ボディー貫通孔４５６の内部に位置するように設けられることが好ましい。
【００８５】
すなわち、前記第１回収部４５１が多数の板として備えられる場合、多数の板（ｂｏａｒｄ）は、前記ボディー貫通孔４５６がドロワーカバー３５に投影された空間（貫通孔投影空間）の内部に位置しなければならない。各板（ｂｏａｒｄ）から第２回収部４５３に向かって落下する水分（水や凝縮水など）がボディー貫通孔４５６を通して貫通孔４３８に供給されるようにするためである。
【００８６】
ただし、第１回収部４５１が多数の中空バーとして備えられる場合、前記中空バーは、前記貫通孔投影空間の内部に位置するように設けられなければならない。
【００８７】
すなわち、多数の中空バーが同じ中心を有するように配置される場合、最も大きい面積を有する中空バーは、前記貫通孔投影空間の内部に位置するように設けられなければならない。しかし、多数の中空バーが同じ中心を有さないように配置されれば、中空バーが形成する空間が前記貫通孔投影空間の内部に位置しなければならない。
【００８８】
一方、前記第１回収部４５１がいかなる形状を有しても、各第１回収部４５１は、給水口３５５に干渉しないように設けられることが好ましい。また、各第１回収部４５１の自由端は、前記回収ボディー４５４の自由端と接触しないように設けられることが好ましい。
【００８９】
前記ドラム５の回転時に前記タブボディー４１に伝達された振動によって第１回収部４５１と回収ボディー４５４とが衝突して、第１回収部４５１や第２回収部４５３が破損することを防止するためである。
【００９０】
前記第１回収部４５１が、タブ４から排出される水がドロワー３の内部で拡散することを防止（タブから排出される水を第２回収部に案内）する手段としてのみ備えられる場合、前記第１回収部４５１はいかなる材質で形成されても構わない。
【００９１】
しかし、第１回収部４５１が、タブ４から排出される水分の凝縮（タブから排出される水分と熱交換する手段）及び凝縮された水分を前記第２回収部に案内する手段として備えられる場合、第１回収部４５１は金属材質で形成されることが好ましい。この場合、前記第２回収部４５３は弾性材質で形成されてもよい。
【００９２】
一方、本発明に備えられた回収部４５は、水分の回収量及び凝縮量を増加させるために、次のような構成をさらに含むことができる。
【００９３】
すなわち、タブカバー４３は、カバーボディー４３１が凹状に折れ曲がって設けられ、貫通孔４３８が位置する収容溝４３７をさらに含み、前記第２回収部４５３は、前記回収ボディー４５４の円周面から突出して前記収容溝４３７の上部に位置するボディーフランジ４５５と、前記ボディーフランジ４５５を貫通するように設けられるフランジ貫通孔４５７とをさらに含むことができる。
【００９４】
この場合、第１回収部４５１は、ボディーフランジ４５５がドロワーカバー３５に投影された空間（フランジ投影空間）の内部に位置するように設けられてもよい。
【００９５】
すなわち、第１回収部４５１が板（ｂｏａｒｄ）として備えられる場合、前記第１回収部４５１は、前記フランジ投影空間の内部に位置するようにドロワーカバー３５から回収ボディー４５４に向かって突出して設けられてもよい。
【００９６】
一方、第１回収部４５１が多数の中空バーとして備えられる場合、前記中空バーは、前記フランジ投影空間の内部に位置するように設けられなければならない。
【００９７】
多数の中空バーが同じ中心を有さないように配置される場合、縁部に配置された中空バーを連結した領域が前記フランジ投影空間の内部に位置すれば十分である。
【００９８】
しかし、多数の中空バーが同じ中心を有する円筒形状に設けられる場合、直径の最も大きい中空バーは、前記貫通孔投影空間の外部に位置したフランジ投影空間に位置するように設けられ、直径の最も小さい中空バーは、前記貫通孔投影空間の内部に位置してもよい。
【００９９】
ただし、多数の中空バーが同じ中心を有するが、円筒形状ではない形状に設けられる場合、最も大きい面積を有する中空バーは前記フランジ投影空間の内部に位置し、最も小さい面積を有する中空バーは前記貫通孔投影空間の内部に位置するように設けられなければならない。
【０１００】
結論的に、多数の中空バーがいかなる形状に設けられても、最も大きい面積を有する中空バーは、前記フランジ投影空間の面積よりは小さく、前記貫通孔投影空間の面積よりは大きく設けられることが好ましい。また、最も小さい面積を有する中空バーは、前記貫通孔投影空間の面積よりも小さく設けられることが好ましい。
【０１０１】
第１回収部４５１が同じ中心を有する多数の中空バーとして備えられる場合、各中空バーの中心は給水口３５５であってもよい。この場合、各中空バー間の距離は一定であってもよく、不規則的であってもよい。
【０１０２】
第１回収部４５１はドロワーカバー３５によって固定されており、ドロワーカバー３５は外気と持続的に熱交換可能であるので、第１回収部４５１が給水口３５５の周辺に配置されなくても、第１回収部の表面温度は、貫通孔４３８から排出される空気よりも低い温度を維持することができる。
【０１０３】
しかし、第１回収部４５１が給水口３５５の周辺に形成されていれば、前記第１回収部４５１は、給水口３５５を通して供給される冷水や給水口３５５の周辺を通して流入する外気と直接熱交換することで、表面温度がさらに低くなり得るので、第１回収部４５１の冷却性能が向上する。
【０１０４】
一方、前記フランジ貫通孔４５７を通して前記収容溝４３７に流入した水分を前記貫通孔４３８に案内するために、回収部４５には回収孔４７がさらに設けられなければならない。
【０１０５】
前記貫通孔４３８から第１回収部４５１に向かって突出して回収ボディー４５４の下部面を支持する支持管４３８１が収容溝４３７に設けられる場合、前記回収孔４７は、前記支持管４３８１を貫通するように設けられてもよい。しかし、回収ボディー４５４が貫通孔４３８の円周面に直接固定される場合であれば、前記回収孔４７は回収ボディー４５４を貫通するように設けられなければならない。
【０１０６】
いずれの場合にも、前記収容溝４３７の内周面は、収容溝４３７の内部の凝縮水が回収孔４７に向かって移動するように傾斜して設けられることが好ましい。
【０１０７】
上述した実施例は、回収部４５が第１回収部４５１及び第２回収部４５３の両方を含む場合を基準として説明したが、上述とは異なり、本発明に備えられる回収部４５は、貫通孔４３８の上部に位置する第１回収部４５１のみを備えてもよい。
【０１０８】
貫通孔４３８から排出されたスチームは、第１回収部４５１の表面で凝縮した後、自重によって貫通孔４３８に流入し、貫通孔４３８から排出される水は、第１回収部４５１の表面に接触した後、自重によって貫通孔４３８に案内されるからである。
【０１０９】
一方、前記タブボディー４１と前記タブカバー４３との結合のために、前記タブカバー４３には、挿入部４３９の直径よりも大きい直径を有する第１収容溝４３２と、前記第１収容溝４３２と前記挿入部４３９との間に位置する第２収容溝４３３とをさらに含むことができる。
【０１１０】
この場合、タブボディー４１の上端は前記第２収容溝４３３に挿入され、タブボディー４１の円周面に設けられた締結部４１３，４１５は前記第１収容溝４３２に挿入されてもよい。
【０１１１】
前記締結部は、タブボディー４１の円周面からタブボディー４１から遠ざかる方向に向かって突出して設けられる締結部第１ボディー４１３と、前記締結部第１ボディー４１３から前記タブカバー４３に向かって延びて前記第１収容溝４３２に挿入される締結部第２ボディー４１５とを備えることができる。
【０１１２】
さらに、前記タブカバー４３には、前記第１収容溝４３２と前記第２収容溝４３３とを区分する収容溝隔壁４３４をさらに含むことができ、前記収容溝隔壁４３４は、締結部第２ボディー４１５と前記タブボディー４１の円周面との間に形成された空間に挿入される。
【０１１３】
タブボディー４１とタブカバー４３の上述した結合構造によって、本発明は、タブボディー４１とタブカバー４３との結合面を通してタブボディー４１の内部の洗濯水やスチームがタブボディー４１の外部に漏出することを最小化することができる。
【０１１４】
上述とは異なり、本発明に備えられた締結部４１３，４１５は、前記タブボディー４１の内部に位置するように設けられても構わない。すなわち、締結部第２ボディー４１５の直径がタブボディー４１の直径よりも小さく設けられても構わない。
【０１１５】
この場合、締結部第２ボディー４１５は第２収容溝４３３に挿入され、タブボディー４１の上端は前記第１収容溝４３２に挿入されなければならない。
【０１１６】
上述した構造を有する本発明の衣類処理装置１００は、給水流路を介して洗濯水を前記タブボディー４１の内部に供給し、排水流路を介してタブボディー４１の内部の洗濯水をキャビネット２の外部に排出させる。
【０１１７】
一方、前記排水流路は、ドロワー３に固定された排出部Ｆ（図６参照）と背面パネル２３とを連結するように設けられ、前記給水流路は、供給部Ｓ（図７参照）を介して、キャビネット２の外部に設けられた給水源とドロワー３に設けられた給水口３５５とを連結するように設けられなければならない。
【０１１８】
したがって、前記給水流路及び排水流路が、単純に供給部Ｓと給水口３５５とを連結する管、排出部Ｆと背面パネル２３とを連結する管としてそれぞれ備えられる場合、ドロワー３がキャビネット２から引き出されたり、またはキャビネット２に挿入されるとき、給水流路や排水流路が捩れたり破損したりする危険がある。
【０１１９】
これを防止するために、本発明の衣類処理装置１００は、キャビネット２の内部に設けられて給水流路や排水流路の機能を行うだけでなく、給水流路及び排水流路の移動を案内するガイダー６をさらに含む。
【０１２０】
以下では、供給部Ｓ及び排出部Ｆを先に説明した後、ガイダー６の構造、給水流路及び排水流路について説明する。
【０１２１】
図６に示すように、前記排出部Ｆは、ドロワーボディー３１に固定されるポンプとして備えられてもよい。前記ポンプは、ドロワーボディー３１に固定されて洗濯水が貯蔵される空間を提供するハウジングＦ１と、前記ハウジングの内部に設けられたインペラを回転させるモーターＦ２とを備えることができる。
【０１２２】
前記ハウジングＦ１は、ハウジング流入部Ｆ３を介してタブボディー４１に連結され、ハウジング第１排出部Ｆ４を介して排水流路に連結される。したがって、モーターＦ２によってインペラがハウジングＦ１の内部で回転すると、タブボディー４１に貯蔵された洗濯水は、ハウジング流入部Ｆ３を通してハウジングＦ１に流入した後、ハウジング第１排出部Ｆ４を通して排水流路に移動するようになる。
【０１２３】
図７に示すように、前記供給部Ｓは、第１給水源（第１温度の洗濯水供給源）に連結される第１バルブＶ１と、第１給水源が供給する洗濯水の温度と異なる温度の洗濯水を供給する第２給水源（第２温度の洗濯水供給源）に連結された第２バルブＶ２とを備えることができる。ただし、キャビネット２の外部に設けられて洗濯水を供給する給水源が１つのみ存在する場合、本発明に備えられる供給部Ｓは１つのバルブのみを備えることになる。
【０１２４】
図６に示したように、本発明に備えられるガイダー６は、キャビネット２の内部に固定される支持部６１と、前記支持部６１に回転可能に設けられる第１ボディー６３と、前記第１ボディー６３とドロワーカバー３５とを連結するように設けられる第２ボディー６５とを含むことができる。
【０１２５】
前記支持部６１は、キャビネット２に固定される支持ボディー６１１と、前記支持ボディー６１１に設けられて背面パネル２３を貫通する排出管６１５と、前記第１ボディー６３が支持される軸サポータ６１３とを含むことができる。
【０１２６】
前記支持ボディー６１１は、キャビネットの背面パネル２３に固定されて設けられてもよい。この場合、前記第１バルブＶ１及び第２バルブＶ２は、支持ボディー６１１に固定されて設けられてもよい。
【０１２７】
前記排出管６１５は、後述する排水流路に流入した洗濯水をキャビネット２の外部に排出させる手段であり、前記軸サポータ６１３は、前記排出管６１５の外周面に固定（図８参照）された形態で設けられてもよい。支持部６１の大きさを最小化するためである。
【０１２８】
図８に示すように、前記第１ボディー６３は、供給部Ｓに連結される第１流路７１（ボディー給水管）及び排出部Ｆに連結される第２流路８１（ボディー排水管）が形成されるベース６３１と、前記ベース６３１の上部に設けられて第１流路７１及び第２流路８１を密閉させるカバー６３５と、前記ベース６３１を前記軸サポータ６１３に回転可能に固定させる第１軸６３７とを含むように備えられる。
【０１２９】
前記第１流路７１と第２流路８１は、ベース６３１に設けられた隔壁６３３によって互いに区分される流路を形成し、前記ベース６３１とカバー６３５とは熱融着によって結合されてもよい。第１流路７１及び第２流路８１の内部の流体が第１ボディー６３の外部に漏出することを防止するためである。
【０１３０】
前記第１流路７１は、第１バルブＶ１によって開閉される第１連結管７３に連通する第１流入口６３２と、第２バルブＶ２によって開閉される第２連結管７５に連通する第２流入口６３４とを含む。一方、前記第１流路７１の内部に流入した洗濯水は、第１流路排出口６３６を通して給水管７７に排出される。
【０１３１】
したがって、本発明に備えられた給水流路は、第１ボディー６３の内部に設けられた第１流路７１と、第１流路７１と各給水源とを連結し、バルブＶ１，Ｖ２によって開閉が制御される連結管７３，７５と、前記第１流路排出口６３６と給水口３５５とを連結し、前記第２ボディー６５によって支持される給水管７７とを備える。
【０１３２】
前記給水源から供給される洗濯水は、バルブＶ１，Ｖ２によって開閉される連結管７３，７５を通して第１流路７１に流入し、第１流路７１の内部の洗濯水は、第１流路排出口６３６及び給水管７７を通して、ドロワーカバー３５に設けられた給水口３５５に供給される。前記給水管７７は、固定部７７１を通じて、ドロワーカバー３５に設けられた給水口３５５に固定されてもよい。
【０１３３】
一方、前記第２流路８１には、第２流路流入部６３８及び第２流路排出口６３９が設けられ、前記第２流路流入部６３８と前記ハウジング第１排出部Ｆ４とは第１排水管８３によって互いに連結され、前記第２流路排出口６３９と前記排出管６１５とは第２排水管８５によって互いに連結される。
【０１３４】
したがって、本発明に備えられた排水流路は、第１ボディー６３の内部に設けられた第２流路８１と、第２流路８１をハウジングＦ１に連結する第１排水管８３と、前記第２流路８１を排出管６１５に連結する第２排水管８５とを備える。
【０１３５】
前記ガイダー６に設けられる第２ボディー６５は、第２軸６５１を介して第１ボディー６３に回転可能に結合し、第３軸６５３を介してドロワーカバー３５に回転可能に結合される。
【０１３６】
前記第２ボディー６５には、給水管７７が収容される空間６５５（収容空間）を提供する第１フランジ６５６及び第２フランジ６５７が備えられる。
【０１３７】
前記第１フランジ６５６は、前記第２ボディー６５の長手方向に沿って設けられ、前記第２ボディー６５の側面からキャビネット２の上部面に向かって突出して設けられ、前記第２フランジ６５７は、前記第２ボディー６５の長手方向に沿って前記第１フランジ６５６と対向するように設けられる。
【０１３８】
前記第１フランジ６５６及び第２フランジ６５７のうちの少なくともいずれか１つには、給水管７７に着脱可能に設けられ、給水管７７を収容空間６５５の内部に固定させる給水管着脱部６５９が設けられてもよい。
【０１３９】
一方、支持部６１に設けられた排出管６１５には、排水流路を介して供給される洗濯水を屋外に排出させるために、排出管６１５と下水口とを連結する下水管Ｆ７が設けられるので、排出部のモーターＦ２が作動すると、タブボディー４１の内部の洗濯水がサイフォン（Ｓｉｐｈｏｎ）現象により排出され得る。
【０１４０】
サイフォン現象が発生すると、タブボディー４１や排水流路に洗濯水が残留しないという面では有利であるが、下水管Ｆ７を通して下水口の悪臭がタブボディー４１に流入することがあり、洗濯水の排水が完了する前にタブボディー４１に洗濯水が給水されれば、タブボディー４１に流入する洗濯水まで排水されるおそれがある。
【０１４１】
したがって、本発明は、排水流路にサイフォン現象が発生することを防止するための連通管７９がさらに設けられてもよい。
【０１４２】
前記連通管７９は、排水流路の内部を排水流路の外部と連通させることができる限り、いかなる形状に設けられてもよい。すなわち、本発明に備えられる連通管７９は、給水流路と排水流路を連結するように設けられてもよく、給水流路とドロワーの内部を連通させるように設けられてもよい。
【０１４３】
前記連通管７９は、第２流路８１、第１排水管８３及び第２排水管８５のいずれか１つを給水管７７や給水口３５５に連結するように設けられてもよいが、図は、連通管７９が、給水管７７と第２流路流入部６３８とを連結するように設けられ、第２ボディー６５に支持される場合を一例として示したものである。
【０１４４】
図は、連通管７９が、給水管７７と第２流路流入部６３８とを連結するように設けられ、ガイダーの第２ボディー６５によって支持される場合を一例として示したものである。
【０１４５】
連通管７９を支持するために、第２ボディー６５に設けられた第２フランジ６５７には、連通管７９を収容空間６５５の外部に着脱可能に固定させる連通管着脱部６５８がさらに設けられてもよい。
【０１４６】
一方、前記排出部Ｆに設けられたモーターＦ２が作動しないにもかかわらず、タブボディー４１に供給された洗濯水が排水流路を通してタブボディー４１の外部に排出されないようにするためには、排出管６１５は、タブボディー４１に貯蔵可能な洗濯水の最高水位よりも高い位置に設けなければならない（前記排水流路を形成する第１排水管８３は、第２流路８１が設けられたガイダー６の下部に位置するようになる）。
【０１４７】
このような状況で、排出部ＦのモーターＦ２がインペラの作動を中断させる場合、排水流路には連通管７９を通してタブボディー４１の内部の空気が流入してサイフォン現象が遮断されるので、連通管７９が第１排水管８３に結合される位置よりも低い位置にある洗濯水は、第１排水管８３に残留するようになる。
【０１４８】
第１排水管８３に洗濯水が残留すれば、排水流路を通して下水口の悪臭がタブボディー４１に流入することを防止できるという効果があるが、冬に第１排水管８３が凍結して破壊するおそれがある。したがって、必要によって、第１排水管８３の内部の洗濯水までも排水させる必要があり、そのために、本発明には残水排出部９を備えることができる。
【０１４９】
図７に示したように、本発明に備えられる残水排出部９は、排出部ＦのハウジングＦ１に連通し、ドロワー３がキャビネット２から引き出されたときにキャビネット２の外部に露出する残水排水管９１を備えることができる。
【０１５０】
前記残水排水管９１の固定端は、ハウジング第２排出部Ｆ５を介してハウジングＦ１に連通し、残水排水管９１の自由端は、前記ドロワーボディー３１に着脱可能に固定されてもよい。前記残水排水管９１の自由端には、残水排水管９１を開閉する排水管開閉部９１１が備えられる。
【０１５１】
一方、残水排水管９１の自由端をドロワーボディー３１に着脱可能に固定させるために、残水排出部９は、ドロワーボディー３１に設けられる排水管着脱部９３をさらに含むことができる。
【０１５２】
前記排水管着脱部９３は、ドロワーボディー３１に設けられ、ドロワーパネル３３の後方に隣接する位置（開放面２１に隣接する位置）に設けられる。
【０１５３】
すなわち、排水管着脱部９３は、前記ドロワーボディー３１に固定され、ドロワーパネル３３の背面と投入口３５３との間に位置する固定ボディー９３１と、前記固定ボディー９３１を貫通するように設けられる固定ボディー貫通孔９３３と、前記固定ボディー貫通孔９３３が固定ボディー９３１の外部と連通するように固定ボディー９３１が形成されてれて設けられる出入口９３５とを備えることができる。
【０１５４】
前記固定ボディー貫通孔９３３の直径は、前記残水排水管９１の直径以上に設けられ、前記出入口９３５の幅は、前記残水排水管９１の直径よりも小さく設けられる。
【０１５５】
したがって、使用者は、前記出入口９３５を介して残水排水管９１を前記固定ボディー貫通孔９３３に挿入するか、または前記固定ボディー貫通孔９３３から固定ボディー９３１の外部に引き出すことができる。
【０１５６】
一方、ドロワー３がキャビネット２から引き出されるとき、残水排水管９１がキャビネット２の内部で絡み合ったり、またはキャビネット２の内部に設けられた装置と干渉することを防止するために、前記ドロワーボディー３１は、残水排水管９１がキャビネット２の内周面に接触することを防止する排水管支持部３１３をさらに含むことができる。図７は、排水管支持部３１３がドロワーボディー３１の下部に設けられた場合を一例として示したものである。
【０１５７】
残水排水管９１を介して、第１排水管８３及びハウジングＦ１に残留する洗濯水をより効率的に排出させるために、前記第１排水管８３は、排出部ＦのハウジングＦ１に近づくほど、ドロワーボディー３１の底面から前記第１排水管８３までの距離が小さくなるように設けることができる。すなわち、第１排水管８３は、排出部のハウジングＦ１に向かって下向きに傾斜するように設けることができる。
【０１５８】
また、本発明の衣類処理装置１００は、ハウジング第１排出部Ｆ４に連結される第１排水管８３の一部の領域が、ハウジング第１排出部Ｆ４に向かって下向きに傾斜するようにハウジング第１排出部Ｆ４の上部に位置して、第１排水管８３をドロワーボディー３１に固定させる排水管固定部９５を含むこともできる。
【０１５９】
ただし、傾斜して設けられた第１排水管８３によって具現される効果は、前記ハウジング第１排出部Ｆ４がドロワーボディー３１の底面から遠ざかる方向に傾斜するように設けられても具現される。
【０１６０】
一方、図示していないが、本発明の衣類処理装置は、タブ４に熱風を供給し、ドラム５の内部に貯蔵された洗濯物を乾燥する熱風供給装置（図示せず）をさらに含むことができる。前記熱風供給装置は第１処理装置Ｔに設けられてもよく、第２処理装置Ｌに設けられてもよい。
【０１６１】
以下では、図９及び図１０を参照して、本発明の衣類処理装置の作動過程を説明する。
【０１６２】
図９に示すように、第２処理装置Ｌに洗濯物を投入する前に、ドロワー３は、キャビネット２の内部に位置した状態である。
【０１６３】
洗濯物をドロワー３の内部に設けられた収容部４，５に投入するためには、使用者は、ドロワーパネル３３を介してドロワーボディー３１をキャビネット２から引き出さなければならない。
【０１６４】
図１０に示すように、ドロワーボディー３１がキャビネット２から引き出されると、第１ボディー６３は、第１軸６３７を中心にドロワーボディー３１が引き出される方向に向かって回転し、第２ボディー６５は、第２軸６５１及び第３軸６５３によって、第１ボディー６３とドロワーカバー３５とが連結された状態を維持させる。
【０１６５】
一方、給水流路を構成する第１流路７１は、第１ボディー６３の内部に設けられており、第１流路７１をドロワーカバー３５に設けられた給水口３５５に連結する給水管７７は、第２ボディー６５によって支持されるので、本発明は、ドロワー３がキャビネット２から引き出されるとき、給水流路が捩れたり、キャビネット２の内部に設けられた装置にかかって破損する問題を防止することができる。
【０１６６】
それだけでなく、排水流路を構成する第２流路８１は第１ボディー６３の内部に設けられ、第２流路８１を排出部Ｆに連結する第１排水管８３はガイダー６の下部に位置するので、ドロワー３がキャビネット２から引き出されるとき、排水流路が捩れたり破損したりすることも防止することができる。
【０１６７】
ただし、図１０に示したように、第１ボディー６３の回転中心と第２排水管８５の回転中心が互いに異なるため、本発明に備えられた第２排水管８５は、弾性材質（ゴムなど）で形成されるか、または長手方向に伸縮可能な蛇腹管構造で設けられることが好ましい。
【０１６８】
ドロワーボディー３１がキャビネット２から引き出されると、前記ドロワーカバー３５に設けられた投入口３５３はキャビネット２の外部に露出する。したがって、使用者は、投入口３５３の内部に位置したドア４９を回転させてタブ投入口４３５を開放することによって、タブ投入口４３５の下部に位置したドラム５に洗濯物を投入することができる。
【０１６９】
洗濯物をドラム５に投入すると、使用者は、ドア４９によりタブ投入口４３５を閉鎖させた後、ドロワー３をキャビネット２の内部に挿入させて図９の状態となるようにする。
【０１７０】
このとき、ガイダー６の第１ボディー６３は、第１軸６３７を中心にドロワー３が移動する方向と同一の方向（反時計方向）に回転し、第２ボディー６５は、第２軸６５１及び第３軸６５３によって第１ボディー６３に向かって回転するようになるので、ガイダー６によって、本発明に備えられた給水流路及び排水流路は、キャビネット２の内部に設けられた装置によって破損することが防止される。
【０１７１】
ドロワー３がキャビネット２の内部に位置した状態で、使用者が、コントロールパネル３３１を介して洗濯のための制御命令を入力すると、供給部Ｓに設けられた各バルブＶ１，Ｖ２は、各バルブと第１流路７１とを連結する連結管７３，７５のうちの少なくともいずれか１つを開放するようになる。
【０１７２】
すなわち、第１温度の洗濯水のみが必要であれば、制御部（図示せず）は、第１バルブＶ１を制御して第１連結管７３のみを開放させ、第２温度の洗濯水のみが必要であれば、制御部は、第２バルブＶ２を制御して第２連結管７５のみを開放させる。
【０１７３】
いずれの場合にも、第１ボディー６３に設けられた第１流路７１は、給水源から洗濯水が供給され、第１流路７１に供給された洗濯水は、第２ボディー６５に支持された給水管７７、ドロワーカバー３５に設けられた給水口３５５、タブカバー４３に設けられた貫通孔４３８を経てドラム５に供給される。
【０１７４】
洗濯水の供給が完了すると、駆動部はドラム５を回転させる。前記ドラム５の回転時に、タブボディー４１の内部の洗濯水は、タブボディー４１の内部でドラムと共に回転することができる。
【０１７５】
ドラム５によって洗濯水がタブボディー４１の内部で回転すると、タブボディー４１の内部の洗濯水は、タブボディー４１の底面からタブカバー４３に向かって移動できるが、タブカバー４３には傾斜部４３９１が設けられているので、本発明は、ドラム５の開放された上部面を介して、洗濯水をドラム５の内部に再流入させることができる。
【０１７６】
洗濯が完了すると、制御部は、タブボディー４１の内部に貯蔵された洗濯水を排水する。
【０１７７】
すなわち、制御部は、排出部Ｆに設けられたモーターＦ２に電力を供給し、タブボディー４１の内部の洗濯水を第１排水管８３へ移動させる。第１排水管８３に流入した洗濯水は、第１ボディー６３に設けられた第２流路８１、第２排水管８５、排出管６１５及び下水管Ｆ７を経て下水口に移動する。
【０１７８】
第１排水管８３は、連通管７９を介して給水管７７に連結されており、給水管７７は、給水口３５５を介してドロワーボディー３１の内部と連通するので、制御部がモーターＦ２に供給される電力を遮断すると、第１排水管８３には空気が供給されてサイフォン現象が遮断される。したがって、第１排水管８３を通して第２流路８１に移動する洗濯水は、第１排水管８３に残留するようになる。
【０１７９】
一方、本発明に備えられた第１排水管８３は、第１排水管８３の内部の残水が排出部Ｆに向かって移動できるように設けられるので、第１排水管８３の内部の残水は、ほとんどが排出部のハウジングＦ１に貯蔵される。
【０１８０】
ハウジングＦ１に洗濯水が貯蔵されている場合、下水口の悪臭が排水流路を介してタブボディー４１に流入することを防止することができ、衣類処理装置の外部温度が低くなる場合に第１排水管８３が破損することも防止することができる。
【０１８１】
また、本発明は、残水排水管９１がハウジングＦ１に連結されているので、必要によって、ハウジングＦ１の内部の残水までも排出することができる。ただし、ハウジングＦ１の内部の残水を排出させるためには、使用者がドロワー３をキャビネット２から引き出さなければならない。
【０１８２】
図１０に示したように、ドロワー３がキャビネット２から引き出されると、残水排水管９１の自由端がキャビネット２の外部に露出するので、使用者は、残水排水管９１を排水管着脱部９３から分離させた後、排水管開閉部９１１を開放させることによって、ハウジングＦ１の内部の残水を排出することができる。
【０１８３】
一方、洗濯物の洗濯のために供給される洗濯水が温水であるか、または洗濯物の洗濯後に洗濯物にスチームを供給する場合、タブボディー４１の内部に供給された水分（温水の蒸気やスチーム）は、貫通孔４３８を介してタブボディー４１の外部に排出可能である。
【０１８４】
貫通孔４３８を介してタブボディー４１の外部に排出される水分は、貫通孔４３８の上部に設けられた第１回収部４５１の表面で冷却されて凝縮された後、第２回収部４５３に落下するので、本発明は、タブボディー４１の内部の水分がドロワー３やキャビネット２に漏出することを最小化することができる。
【０１８５】
上述した実施例は、給水流路を構成する第１流路７１及び排水流路を構成する第２流路８１がガイダーの第１ボディー６３の内部に形成される場合を基準として説明したが、給水流路や排水流路の構造をこれに限定する必要はない。すなわち、前記第１流路７１は、上述したものと同一の構造で設けられ、前記排水流路は、ガイダーの外周面に支持されるように設けられても構わない。
【０１８６】
この場合、排水流路は、排出部ＦのハウジングＦ１と排出管６１５とを連結する１つの管（ｐｉｐｅ）として設けられ、第１ボディー６３の外周面に着脱可能に固定されて設けられてもよい。
【０１８７】
上述した実施例は、第２処理装置Ｌが第１処理装置Ｔに着脱可能な構造である場合（第１処理装置のキャビネット１と第２処理装置のキャビネット２とが互いに分離された構造）を基準として説明したが、第２処理装置Ｌは、第１処理装置Ｔに一体に設けられてもよい。
【０１８８】
この場合、第２処理装置Ｌに設けられたドロワー３は、第１処理装置のキャビネット１から引き出されるように設けられ（第２処理装置のキャビネット２は省略）なければならず、第２処理装置のキャビネット２に固定または回転可能に結合される第２処理装置Ｌの構成は、第１処理装置のキャビネット１に設けられなければならない。
【０１８９】
本発明は、様々な形態に変形して実施可能であり、上述した実施例にその権利範囲が限定されるものではない。したがって、変形した実施例が本発明の特許請求の範囲の構成要素を含んでいる場合、本発明の権利範囲に属するものと解さねばならない。
【図１】
2015226770.tif 000003
【図２】
2015226770.tif 000004
【図３】
2015226770.tif 000005
【図４】
2015226770.tif 000006
【図５】
2015226770.tif 000007
【図６】
2015226770.tif 000008
【図７】
2015226770.tif 000009
【図８】
2015226770.tif 000010
【図９】
2015226770.tif 000011
【図１０】
2015226770.tif 000012